(57)【要約】【課題】尿の滴下を常時静かに行うことのできる導尿容器を提供すること。【解決手段】第１半割体１０または第２半割体２０の、導尿口４０の内端直下に位置する部分に、当該導尿口４０から滴下してくる尿を受承する受承面と、この受承面に連続して尿を第１半割体１０または第２半割体２０の壁の内面に流す流下面とを有した受承部を形成したこと。【選択図】図４
2006014923.tif 000002
【特許請求の範囲】
【請求項１】
互いに面対称となった略箱型で合成樹脂製の第１半割体及び第２半割体を、その各開口部側にて振動溶着するとにより一体化して、導尿口から導入された尿の収納空間を内部に形成した導尿容器であって、
前記第１半割体または第２半割体の、前記導尿口の内端直下に位置する部分に、当該導尿口から滴下してくる尿を受承する受承面と、この受承面に連続して尿を前記第１半割体または第２半割体の壁の内面に流す流下面とを有した受承部を形成したことを特徴とする導尿容器。
【請求項２】
前記受承部を、前記第１半割体または第２半割体の壁の内面であって、前記導尿口の内端直下に位置する部分に一体的に形成され、前記受承面と流下面とを有した突起としたことを特徴とする請求項１に記載の導尿容器。
【請求項３】
前記受承部を、前記導尿口の内端直下に位置する前記第１半割体または第２半割体の壁の内面を内側に後退させた部分として、この部分に前記受承面と流下面とを形成したことを特徴とする請求項１に記載の導尿容器。
【発明の詳細な説明】
【技術分野】
【０００１】
本発明は、互いに面対称となっている半割体を振動溶着によって溶着することにより形成される合成樹脂製の導尿容器に関するものである。
【背景技術】
【０００２】
「導尿容器」は、手術中あるいは手術後のためトイレに行けない患者、または自ら尿の排泄ができない患者に樹脂製パイプ等の「カテーテル（導管）」を介して取り付けておき、患者から排泄される尿を貯めておくようにするものである。このような導尿容器としては、特許文献１に記載されているような「導尿バッグ」があるが、この種の導尿バッグは、その全体を軟質の合成樹脂材料によって形成することが殆どであり、その取り扱いは、中の尿が漏れ出ないように慎重に行う必要がある。
【０００３】
また、この種の導尿バッグあるいは容器は、その中に貯まった尿の状態、特に色や量を視認することによって、患者の状態を確認する際にも使用されるもので、手術後の回復状況の確認をする際にも使用されるものであるため、その全体を透明ないし半透明の合成樹脂材料によって形成することが殆どである。このため、この種の導尿バッグあるいは容器は、内容物全体が透けて見えるということになり、患者に恥ずかしい思いをさせることがあり、尿を捨てたり検査のために持ち運んだりする作業をしなければならない看護師にとって、この作業が苦痛を伴うこともある。
【特許文献１】特開２００４−８４４６号公報、要約
【発明の開示】
【発明が解決しようとする課題】
【０００４】
特許文献１に記載された発明は、「導尿バックの損傷破損防止、外部尿漏れ防止を目的としており、特に寝具内の尿漏れの場合は大変厄介な処理作業となり精神的不安が大でこれらの不安を取り除き、また携行も安全便利な保護容器を提供すること」を目的としてなされたもので、「箱型容器の縦上方外側端に容器の吊り下げ、携行用の把手を設け、同把手の直下部表面側に導尿バック収納の出し入れ口を設け、箱型容器の中央に導尿バック固定用の、着脱可能バンドを設けた、バンドは片側一方端を箱型容器上表面中央外面に表面固定部を設けて固定、他の一方端は箱型容器の中央内側底部に底内面固定部を設けて固定される構造とし、底内面固定部の位置は箱型容器の上部に若干の隙間を持たせて導尿バック把手空間部とバンドが交差収納が出来る余裕の空間を与えた構造」としたものである。
【０００５】
この特許文献１に記載されている発明によれば、軟質な導尿バッグを、硬質な材料によって形成したと思われる箱型容器内に収納するのであるから、「導尿バックの損傷破損防止、外部尿漏れ防止」を図ることができ、軟質な導尿バッグの取り扱いも容易に行えるようになるものと考えられる。
【０００６】
しかしながら、この特許文献１の発明では、あくまでも「軟質導尿バッグ」を使用するものであり、その箱型容器内へ入れる操作やバンドの固定操作が必要なことや、尿が貯まった導尿バッグを箱型容器から注意深く取り出さなければならないといった問題は、未だ解消されないままである。勿論、患者の容態を知るための「尿の視認」については、全く意が用いられてないないものとなっている。
【０００７】
そこで、本発明者は、軟質な導尿バッグを箱型容器に入れるのではなく、箱型容器そのものを導尿バッグ、つまり「導尿容器」にして、軟質な導尿バッグの不具合を無くした合成樹脂製の「導尿容器」を、特願２００４−８０８８５号等において既に提案してきている。
【０００８】
そして、この合成樹脂製の「導尿容器」について、実際の使用に供してみたところ、人によっては、次のような問題を指摘することがあることが判明したのである。つまり、硬質な「箱」となっている導尿容器内では、尿が貯まるにつれて尿の液面ができ、この液面に尿が滴下すると、微弱ではあるが音が発生するのである。この尿の滴下による音は、昼間であれば何等問題となることは少ないが、深夜などの静かなときに発生すると、体力が低下している病弱な患者にとっては大変気になることがあったのである。
【０００９】
この尿の滴下による音は、特許文献１の導尿バッグを箱型容器に収納する方式の場合においても発生し得ると考えられる。何故なら、箱型容器内に収納されている導尿バッグでも、尿が貯まるにつれて液面が形成されるし、その上方にカテーテルの排出口が位置することになるからである。
【００１０】
そこで、本発明者等は、硬質の導尿容器について、尿の滴下を常時静かに行えるようにするにはどうしたらよいか、について種々検討を重ねてきた結果、本発明を完成したのである。
【００１１】
すなわち、本発明の目的とするところは、尿の滴下を常時静かに行うことのできる導尿容器を提供することにある。
【課題を解決するための手段】
【００１２】
以上の課題を解決するために、まず、請求項１に係る発明の採った手段は、後述する最良の形態の説明中において使用する符号を付して説明すると、
「互いに面対称となった略箱型で合成樹脂製の第１半割体１０及び第２半割体２０を、その各開口部側にて振動溶着するとにより一体化して、導尿口４０から導入された尿の収納空間３０を内部に形成した導尿容器１００であって、
第１半割体１０または第２半割体２０の、導尿口４０の内端直下に位置する部分に、当該導尿口４０から滴下してくる尿を受承する受承面４１ａと、この受承面４１ａに連続して尿を第１半割体１０または第２半割体２０の壁の内面に流す流下面４１ｂとを有した受承部４１を形成したことを特徴とする導尿容器１００」
である。
【００１３】
すなわち、この請求項１に係る導尿容器１００は、図１に示すように、互いに面対称となった略箱型で合成樹脂製の第１半割体１０及び第２半割体２０を、その各開口部側にて振動溶着するとにより一体化したものであり、その内部に、例えば図４あるいは図６に示すような収納空間３０を形成したものである。
【００１４】
この導尿容器１００は、その中に患者からの尿をカテーテル９０等を介して導入するものであるから、この導入する際のカテーテル９０等の接続を行うための導尿口４０が、図４〜図８に示すように、第２半割体２０の上面側に形成してある。なお、この導尿口４０の隣には、精密測定部３１内に導入された尿の分の空気を排出するための空気孔４２が設けてあり、この空気孔４２の中には精密測定部３１内に異物が入り込まないようにし、かつ尿の臭いが外に出ないようにするためのフィルターが入れてある。
【００１５】
なお、この導尿容器１００では、その第１半割体１０の、精密測定部３１及び貯留部３２に対向する各部分に、図１及び図２に示したように、導入された尿を外部から視認するための第１窓５１及び第２窓５２が、それぞれ設けてある。
【００１６】
さて、この導尿容器１００においては、図２、図４〜図８に示すように、カテーテル９０等を通して患者から送られてきた尿を上述した収納空間３０内に流し込むための導尿口４０が形成してあった。この導尿口４０に対しては、図９または図１０に示すように、カテーテル９０の先端が接続部材９１を介して連結されるのであるが、この連結あるいはその取り外しは簡単に行えるようにしてある。
【００１７】
また、この導尿口４０は、当該導尿容器１００内の収納空間３０内に連通しているものであるが、本発明においては、この導尿口４０の直下に位置する部分に受承部４１を形成するようにして、導尿口４０から流れ落ちてくる尿が、収納空間３０あるいはこの中に形成された尿の液面上に直接落下しないようにしてある。
【００１８】
つまり、受承部４１は、まず、その受承面４１ａによって、図９または図１０に図示したように、導尿口４０から流下してくる尿を直接受けるのである。この受承面４１ａ及びこれが形成してある受承部４１は、導尿口４０の直下に位置する部分に形成してあるから、尿が滴になっていたとしても、その落下距離は精々２〜３ｃｍ程度となっている。このため、滴になっている尿の受承面４１ａ上への落下音は殆ど発生しないし、その殆どが飛び散ることなく、受承面４１ａに連続している流下面４１ｂから収納空間３０内に流下するのである。
【００１９】
従って、この請求項１に係る導尿容器１００によれば、収納空間３０を構成する第１半割体１０及び第２半割体２０を硬質な材料で形成したとしても、尿が受承部４１上に静かに落下又は流下するため、当該導尿容器１００では、尿の落下音が殆どしないのである
上記課題を解決するために、請求項２に係る発明の採った手段は、上記請求項１に記載の導尿容器１００について、
「受承部４１を、第１半割体１０または第２半割体２０の壁の内面であって、導尿口４０の内端直下に位置する部分に一体的に形成され、受承面４１ａと流下面４１ｂとを有した突起としたこと」
である。
【００２０】
すなわち、この請求項２に係る導尿容器１００では、受承部４１そのものを、図９に示すように、第１半割体１０または第２半割体２０の内壁と一体的なものとしたものである。この受承部４１は、受承面４１ａ及び流下面４１ｂを有したものとして、第１半割体１０または第２半割体２０と同時かつ一体的に形成できるため、簡単に形成できるものとなっているのである。
【００２１】
従って、この請求項２に係る導尿容器１００によれば、上記請求項１のそれと同様な機能を発揮する他、尿の落下音を殆ど発生させないようにする受承部４１を簡単に形成できるのである。
【００２２】
上記課題を解決するために、請求項３に係る発明の採った手段は、上記請求項１に記載の導尿容器１００について、
「受承部４１を、導尿口４０の内端直下に位置する第１半割体１０または第２半割体２０の壁の内面を内側に後退させた部分として、この部分に受承面４１ａと流下面４１ｂとを形成したこと」
である。
【００２３】
すなわち、この請求項３に係る導尿容器１００では、図１０に示すように、導尿口４０の内端直下に位置する第１半割体１０または第２半割体２０の壁の内面を内側に後退させた部分を受承部４１としたものであり、これによってできる段部上面を受承面４１ａとしたものである。勿論、この段部より下側になる第１半割体１０または第２半割体２０の壁は、流下面４１ｂとなることは言うまでもない。そして、これらの受承面４１ａ及び流下面４１ｂの、尿落下に対する機能は、上記請求項１の場合と同様である。
【００２４】
これにより、第１半割体１０または第２半割体２０の壁の厚さを均等にしたまま、当該受承部４１を有する導尿容器１００を形成できるのであり、第１半割体１０または第２半割体２０の射出成形を安定したものとすることができるだけでなく、型の製造を簡単にすることができるのである。
【００２５】
従って、この請求項３に係る導尿容器１００によれば、上記請求項１のそれと同様な機能を発揮する他、収納空間３０を有するものとしての製造を簡単に行うことができる。
【発明の効果】
【００２６】
以上、詳述した通り、本発明に係る導尿容器１００は、
「第１半割体１０または第２半割体２０の、導尿口４０の内端直下に位置する部分に、当該導尿口４０から滴下してくる尿を受承する受承面４１ａと、この受承面４１ａに連続して尿を第１半割体１０または第２半割体２０の壁の内面に流す流下面４１ｂとを有した受承部４１を形成したこと」
にその構成上の主たる特徴があり、これにより、収納空間３０を構成する第１半割体１０及び第２半割体２０を硬質な材料で形成したとしても、尿を受承部４１上に静かに落下又は流下させることができるのであり、尿の落下音が殆どしないものとすることができるのである
【発明を実施するための最良の形態】
【００２７】
次に、以上のように構成した各請求項に係る発明を、図面に示した最良の形態である導尿容器１００について説明すると、図１にはこの最良形態の導尿容器１００を斜め前方からみた斜視図が、また図４にはこの導尿容器１００を斜め後方からみた斜視図が、それぞれ示してある。図２は、この最良形態の導尿容器１００の正面図である。
【００２８】
この最良形態の導尿容器１００は、半割体形状に形成した第１半割体１０と第２半割体２０とを、その各第１半割体１０側の第１振動溶着面１３と第２半割体２０側の内部隔壁２１、及び第１半割体１０側の第２振動溶着面１４と第２半割体２０側の外壁２２にて振動溶着により一体化することにより形成したものであり、患者の尿を一時的にいれておくものである。
【００２９】
すなわち、この導尿容器１００は、手術中あるいは手術後の患者の身体から引き出されたカテーテル９０を通して送られてくる尿を一時的に溜めておくものであり、図４〜図８に示した導尿口４０からの尿が導入される複数の収納空間３０を内部に形成したものである。本最良形態の導尿容器１００における収納空間３０は、図３に示したように、導入されてきたばかりの新しい尿の量を収納して測定するための精密測定部３１と、この精密測定部３１内の尿を、図４に示したオーバーフロー口１６から導入されることになる貯留部３２とに機能別に分けたものである。
【００３０】
そのために、この導尿容器１００では、図３及び図６に示したように、各半割体１０・２０の内部に、上述した収納空間３０を形成するための内部隔壁１１・２１が形成してあるとともに、これらの内部隔壁１１及び２１の開口部側端面を、第１半割体１０側の第１振動溶着面１３及び第２半割体２０側の第１振動溶着面２３としてある。
【００３１】
また、各半割体１０・２０には、図３及び図６に示したように、これを構成している内部隔壁１１・２１を外側から包み込むための外壁１２・２２が、当該各半割体１０・２０にそれぞれ形成してあるとともに、これらの外壁１２及び２２の開口部側端面を、第１半割体１０側の第２振動溶着面１４及び第２半割体２０側の第２振動溶着面２４としてある。
【００３２】
この導尿容器１００は、第１半割体１０及び第２半割体２０を、各内部隔壁１１・２１及び外壁１２・２２にて、振動溶着によって互いに接合することにより一体化することにより形成されるものであることは上述した通りである。なお、本最良形態では、各半割体１０・２０の少なくともいずれか一方の内部隔壁１１または２１の第１振動溶着面１３または２３の高さを、外壁１２または２２の第２振動溶着面１４または２４より高くしてある。
【００３３】
換言すれば、当該導尿容器１００は、これを構成する両側面１０・２０内に、端面が第１振動溶着面１３・２３となる内部隔壁１１・２１、及び端面が第２振動溶着面１４・２４となる外壁１２・２２を設けておくとともに、第１振動溶着面１３・２３が第２振動溶着面１４・２４に対して少し高くなるように形成しておいて、これらの内部隔壁１１・２１及び外壁１２・２２同士を、各第１半割体１０と第２半割体２０との振動溶着によって一体化することにより、内部に、導尿口４０に直接連なる精密測定部３１と、この精密測定部３１の下方を主たる部分とする貯留部３２とを形成したものである。
【００３４】
なお、精密測定部３１と貯留部３２とを振動溶着するにあたって、本最良形態では、各外壁１２・２２の内側、あるいは各内部隔壁１１・２１の両側に帯壁部を形成しておくことがなされる。この帯壁部は、第１半割体１０及び第２半割体２０が相対的に振動しあったときに生ずることがある「スリ屑」を包み込むものである。
【００３５】
そして、以上の第１半割体１０または第２半割体２０の、導尿口４０の内端直下に位置する部分には、図９または図１０に示したように、導尿口４０から落下または流下してきた尿を受け止める導尿口４０が形成してある。この導尿口４０は、導尿口４０から滴下してくる尿を受承する受承面４１ａと、この受承面４１ａに連続して尿を第１半割体１０または第２半割体２０の壁の内面に流す流下面４１ｂとを有したものである。
【００３６】
図９に示した最良形態の受承部４１は、第１半割体１０または第２半割体２０の壁の内面であって、導尿口４０の内端直下に位置する部分に一体的に形成され、受承面４１ａと流下面４１ｂとを有した突起としたものである。つまり、図９に示した受承部４１は、第１半割体１０または第２半割体２０の一部を膨出させることにより形成したもので、第１半割体１０または第２半割体２０の内壁と一体的なものとしたものである。この受承部４１は、受承面４１ａ及び流下面４１ｂを有したものとして、第１半割体１０または第２半割体２０と同時かつ一体的に形成できるため、簡単に形成できるものとなっている。
【００３７】
この図９に示した受承部４１の受承面４１ａは、導尿口４０から流下してくる尿を直接受けるのであるが、導尿口４０の直下からの距離は精々２〜３ｃｍ程度となっている。つまり、この受承面４１ａは、滴になっている尿を落下音を殆ど発生させないで受けることができるものであり、滴となった尿の殆ど飛び散ることなく、当該受承面４１ａに連続している流下面４１ｂから流下させるものである。
【００３８】
また、図１０に示した導尿容器１００では、その受承部４１を、導尿口４０の内端直下に位置する第１半割体１０または第２半割体２０の壁の内面を内側に後退させた部分として、この部分に受承面４１ａと流下面４１ｂとを形成したものである。つまり、この図１０に示した受承部４１では、その第１半割体１０または第２半割体２０の壁の内面を内側に後退させることによってできた段部上面を受承面４１ａとしたものであり、この段部より下側になる第１半割体１０または第２半割体２０の壁を流下面４１ｂとしたものである。
【００３９】
この図１０に示した受承部４１は、第１半割体１０または第２半割体２０の壁の厚さを均等にしたまま、当該受承部４１を有する導尿容器１００を形成できるのであり、第１半割体１０または第２半割体２０の射出成形を安定したものとすることができて、型の製造を簡単にすることもできる。
【００４０】
さて、この導尿容器１００の下方部分には、図１に示したように、内部の尿を排出するための排尿コック７０が設けられるのであるが、この排尿コック７０は、図３に示した、第１半割体１０及び第２半割体２０の下方部分に形成したコック穴７１内に取付けられるものである。そして、この導尿容器１００の中央部分には、図１に示したように、精密測定部３１の尿を貯留部３２側に流すためのリセットコック８０が設けられるのであるが、このリセットコック８０は、図３に示したように、第１半割体１０及び第２半割体２０に形成したコック穴８１内に設けられるものである。
【００４１】
なお、この導尿容器１００は、その全体を手で持って搬送し易くするために、第１半割体１０及び第２半割体２０の上部にハンドル部を形成したものであり、また、当該導尿容器１００を吊り下げるためのフックを、第２半割体２０側のハンドル部の上部に一体的に形成したものである。そして、当該導尿容器１００は、机の上等にも載置することがあるため、各第１半割体１０及び第２半割体２０の下部にはスタンド部がそれぞれ一体的に形成してある。
【００４２】
また、この導尿容器１００では、図５に示したように、その精密測定部３１内の尿を直接採ることができるようにするための採尿ポート２７が形成してある。この採尿ポート２７は、通常は精密測定部３１を閉じておくものであるが、採尿器の吸引針を差し込めるようにしているものである。
【００４３】
さらに、この導尿容器１００では、その第１半割体１０の、精密測定部３１及び貯留部３２に対向する各部分に、図１及び図２に示したように、導入された尿を外部から視認するための第１窓５１及び第２窓５２が、それぞれ設けてある。
【００４４】
第１窓５１は、精密測定部３１に対向するものであるが、これに形成した小部分と大部分とは所定の間隔をおいて形成したものであり、これらの間は、図２に示したように、順次下窄まりとした連結部分によって連続したものとしてある。なお、大部分の下方部分についても、順次下窄まりとしてある。勿論、これらの各部分には、その位置に対応する尿の量を示す目盛が付してある。
【００４５】
一方、第２窓５２は、排尿コック７０の直上にて、「く」の字状のものとして形成してあり、その表面には、目盛が付してある。
【００４６】
さて、第１窓５１あるいは第２窓５２に対向する、第１半割体１０または第２半割体２０の内側部分には光反射部分が形成してある。この光反射部分は、種々な形態のものが考えられるが、要するに、第１窓５１あるいは第２窓５２から入ってきた光を乱反射させるものであればどのようなものであってもよい。
【００４７】
この光反射部としては、これを例えば白色の合成樹脂によって、第２半割体２０または第１半割体１０に対して一体的に成形してもよいし、第２半割体２０または第１半割体１０の該当部分に貼付される反射材としてもよいものである。また、この光反射部は、これが設けられている第１半割体１０または第２半割体２０の該当部分を、窓５１または５２に向けて突出させるように実施してもよいものである。この場合には、当該光反射部と窓５１または５２の間隔を小さくすることができて、その中にある尿等の液体の層を小さくすることができるから、光の透過を損失がない状態で行え、液体の状態の視認がより確実に行えることになる。
【００４８】
ところで、この導尿容器１００では、その各半割体１０・２０の少なくともいずれか一方の内部隔壁１１または２１の第１振動溶着面１３または２３の高さを、外壁１２または２２の第２振動溶着面１４または２４より高くなるようにしてある。他より高さが高くなっている部分は、例えば内部隔壁１１の第１振動溶着面１３だけ、あるいは第２振動溶着面１４側の第２振動溶着面２４だけであってもよく、さらには両者に形成されていてもよいものであり、具体的には、０．１ｍｍ〜０．２ｍｍ程度の高さである。
【００４９】
このように構成した各第１半割体１０及び第２半割体２０を、その各開口部が互いに対向し合うようにセットして互いに当接させると、まず、内部隔壁１１・２１の第１振動溶着面１３・２３が当接し合う。ここで、振動溶着を行うと、内部隔壁１１・２１の第１振動溶着面１３・２３が当接状態で互いに擦れ合い、第１振動溶着面１３・２３が熱を発生して溶融する。
【００５０】
そして、これらの第１振動溶着面１３・２３が順に溶融して溶着し合うとともに、それ自身の高かった部分が段々低くなり、今度は、第２振動溶着面１４・２４が当接して溶融し始めるのである。つまり、振動溶着の初期において、各第１振動溶着面１３・２３の溶着が隙間無く行われた後に、各第１振動溶着面１３・２４の振動溶着が始まるのであり、各第１振動溶着面１３・２３の振動溶着作業は、外壁１２・２２の各第１振動溶着面１３・２４におけるそれ対して先に行われるのである。
【００５１】
換言すれば、この導尿容器１００においては、内部となっていて表には出ていない少なくとも第１半割体１０側の第１振動溶着面１３の、第２半割体２０側の第１振動溶着面２３に対する振動溶着が他に先立ってなされているのであるが、この第１振動溶着面１３は、僅かに突出させてあったから、この部分の振動溶着が十分成されているか否かは、図２に示した寸法受承部４１分だけの隙間から確認しながら行うことができる。そして、この第１振動溶着面１３の溶融が済んだ後に、第１半割体１０側の第２振動溶着面１４と第２半割体２０側の第２振動溶着面２４との溶着がなされるのであり、第１半割体１０側の第２振動溶着面１４と第２半割体２０側の第２振動溶着面２４との溶着は外から容易に確認できるため、結果として得られた導尿容器１００は、内側部分も外側部分も、十分かつ完全に接合し合ったものとなる。
【図面の簡単な説明】
【００５２】
【図１】本発明に係る導尿容器として採用される導尿容器の前方側からみた斜視図である。
【図２】同導尿容器の正面図である。
【図３】同導尿容器を構成している第１半割体の開口部側の端面図である。
【図４】同導尿容器の後方側からみた斜視図である。
【図５】同導尿容器の背面図である。
【図６】同導尿容器を構成している第２半割体の開口部側の端面図である。
【図７】同導尿容器の右側面図である。
【図８】同導尿容器の平面図である。
【図９】図８中の１−１線に沿ってみた受承部の一例を示す部分拡大横断面図である。
【図１０】図８中の１−１線に沿ってみた受承部の他の例を示す部分拡大横断面図である。
【符号の説明】
【００５３】
１００    導尿容器
１０    第１半割体
１１    内部隔壁
１２    外壁
１３    第１振動溶着面
１４    第２振動溶着面
１６    オーバーフロー口
２０    第２半割体
２１    内部隔壁
２２    外壁
２３    第１振動溶着面
２４    第２振動溶着面
３０    収納空間
３１    精密測定部
３２    貯留部
４０    導尿口
４１    受承部
４１ａ  受承面
４１ｂ  流下面
４２    空気穴
５１    第１窓
５２    第２窓
７０    排尿コック
８０    リセットコック
９０    カテーテル
９１    接続部材
【図１】
2006014923.tif 000003
【図２】
2006014923.tif 000004
【図３】
2006014923.tif 000005
【図４】
2006014923.tif 000006
【図５】
2006014923.tif 000007
【図６】
2006014923.tif 000008
【図７】
2006014923.tif 000009
【図８】
2006014923.tif 000010
【図９】
2006014923.tif 000011
【図１０】
2006014923.tif 000012